(57)【要約】【課題】飲料粉末の香りを十分楽しむことができる飲料抽出機を提供する。【解決手段】底部に出湯口１５を有する容器２内の飲料水を加熱保温する加熱装置３と、飲料粉末を密閉保存した飲料パック８に設けられた注入部６を開封する注入部開封装置１４と、出湯口１５と注入部開封装置１４を連通する抽出経路１６の途中に配され容器２内の熱湯を送る熱湯圧送装置１７と、熱湯圧送装置１７と注入部開封装置１４との間の抽出経路１６の途中から分岐した空気経路１８を介して、飲料パック８内に空気を圧送する空気圧送装置１９とを備え、飲料パック８の抽出部７開封後に、空気圧送装置１９を所定時間駆動する拡散工程を有するもので、乾燥状態の飲料粉末が有する香り成分を飲料パック８外に拡散することで飲料粉末が有する香りを積極的に楽しむことができる。【選択図】図１
2008289527.tif 000002
【特許請求の範囲】
【請求項１】
飲料水を収容すると共に底部に出湯口を有する容器と、前記容器の底部に配され前記容器内の飲料水を加熱保温する加熱装置と、飲料粉末を密閉保存した飲料パックに設けられた注入部を開封する注入部開封装置と、前記出湯口と前記注入部開封装置を連通する抽出経路と、前記抽出経路の途中に配され前記容器内の熱湯を送る熱湯圧送装置と、前記飲料パック内に空気を圧送する空気圧送装置と、前記熱湯圧送装置と前記注入部開封装置との間の前記抽出経路の途中から分岐すると共に、前記空気圧送装置と連通する空気経路とを備え、前記飲料パックの抽出部開封後に、前記空気圧送装置を所定時間駆動する拡散工程を有する飲料抽出機。
【請求項２】
熱湯圧送装置からの熱湯により飲料パックの抽出部を開封する請求項１に記載の飲料抽出機。
【請求項３】
空気圧送装置からの圧送空気により飲料パックの抽出部を開封する請求項１に記載の飲料抽出機。
【請求項４】
拡散工程実施の有無の選択ができる選択装置を有する請求項１〜３のいずれか１項に記載の飲料抽出機。
【請求項５】
拡散工程時の空気圧送装置の駆動時間を調整する拡散時間調整装置を設けた請求項１〜４のいずれか１項に記載の飲料抽出機。
【発明の詳細な説明】
【技術分野】
【０００１】
本発明は、コーヒー・紅茶・ココアなどの飲料を一杯づつ密封した飲料パックによりいつでも新鮮でおいしい飲料が手軽に飲める飲料抽出機に関するものである。
【背景技術】
【０００２】
従来、この種の飲料抽出機は、熱湯により飲料パックを開封後、引き続き熱湯により飲料抽出を行う構成となっている（例えば、特許文献１参照）。
【特許文献１】特開２００１−０７０１６５号公報
【発明の開示】
【発明が解決しようとする課題】
【０００３】
しかしながら、上記特許文献１に記載されたような従来の飲料抽出機の構成では、熱湯により飲料パックを開封後、引き続き熱湯により飲料抽出を行うため、飲料パック内の乾燥状態の飲料粉末が有する香り成分が熱湯に溶け込み香りを十分楽しむことができないという課題を有していた。
【０００４】
本発明は、上記従来の課題を解決するもので、飲料粉末が有する香り成分を十分楽しむことができる飲料抽出機を提供することを目的とする。
【課題を解決するための手段】
【０００５】
従来の課題を解決するために、本発明の飲料抽出機は、飲料水を収容すると共に底部に出湯口を有する容器と、前記容器の底部に配され前記容器内の飲料水を加熱保温する加熱装置と、飲料粉末を密閉保存した飲料パックに設けられた注入部を開封する注入部開封装置と、前記出湯口と前記注入部開封装置を連通する抽出経路と、前記抽出経路の途中に配され前記容器内の熱湯を送る熱湯圧送装置と、前記飲料パック内に空気を圧送する空気圧送装置と、前記熱湯圧送装置と前記注入部開封装置との間の前記抽出経路の途中から分岐すると共に、前記空気圧送装置と連通する空気経路とを備え、前記飲料パックの抽出部開封後に、前記空気圧送装置を所定時間駆動する拡散工程を有するもので、乾燥状態の飲料粉末が有する香り成分を飲料パック外に拡散することで飲料粉末が有する香りを積極的に楽しむことができるものである。
【発明の効果】
【０００６】
本発明の飲料抽出機は、飲料パックの抽出部開封後の熱湯による本格抽出工程の前に、飲料パック内の飲料粉末が有する香り成分を圧送空気により飲料パック外に送り出す拡散工程を加えることにより乾燥状態の飲料粉末が有する香り成分を積極的に楽しむことができる。
【発明を実施するための最良の形態】
【０００７】
第１の発明は、飲料水を収容すると共に底部に出湯口を有する容器と、前記容器の底部に配され前記容器内の飲料水を加熱保温する加熱装置と、飲料粉末を密閉保存した飲料パックに設けられた注入部を開封する注入部開封装置と、前記出湯口と前記注入部開封装置を連通する抽出経路と、前記抽出経路の途中に配され前記容器内の熱湯を送る熱湯圧送装置と、前記飲料パック内に空気を圧送する空気圧送装置と、前記熱湯圧送装置と前記注入部開封装置との間の前記抽出経路の途中から分岐すると共に、前記空気圧送装置と連通する空気経路とを備え、前記飲料パックの抽出部開封後に、前記空気圧送装置を所定時間駆動する拡散工程を有するもので、乾燥状態の飲料粉末が有する香り成分を飲料パック外に拡散することで飲料粉末が有する香りを積極的に楽しむことができるものである。
【０００８】
第２の発明は、特に、第１の発明の熱湯圧送装置からの熱湯により飲料パックの抽出部を開封するもので、飲料粉末が有する香りを積極的に楽しむことができる効果に加え、熱湯の熱により飲料パックの抽出部を静かに開封することができるものである。
【０００９】
第３の発明は、特に、第１の発明の空気圧送装置からの圧送空気により飲料パックの抽出部を開封するもので、飲料粉末が有する香りを積極的に楽しむことができる効果に加え、空気圧により開封するため飲料パック内の飲料粉末が熱湯にまったく触れない状態で開封され、飲料パック内の香り成分の量が減少することなく開封後の圧送空気により、より多くの香り成分を拡散することができるものである。
【００１０】
第４の発明は、特に、第１〜３のいずれか一つの発明の拡散工程実施の有無の選択ができる選択装置を有するもので、拡散工程の実施を自らの意思により選択実施することができるものである。
【００１１】
第５の発明は、特に、第１〜４のいずれか一つの発明の拡散工程時の空気圧送装置の駆動時間を調整する拡散時間調整装置を設けたもので、使用者の好みの時間、香りを楽しむことができるものである。
【００１２】
以下、本発明の実施の形態について、図面を参照しながら説明する。なお、この実施の形態によって本発明が限定されるものではない。
【００１３】
（実施の形態１）
図１は、本発明の第１の実施の形態における飲料抽出機の概略構成を示す図、図２は、同飲料抽出機の動作を示す図である。
【００１４】
図１、２において、本実施の形態における飲料抽出機は、本体１内に収納された容器２と、容器２の底面に配され容器２内の飲料水を加熱保温する加熱装置３と、容器２の上部開放部を液密に覆い蒸気通路４を有する蓋５と、前面部を開放し飲料パック８を固定する固定部９を有するパック収納部１０と、パック収納部１０の前面開放部１０ａを覆い下方の水平方向に回転軸１１を有し本体１に回動自在に軸支され  外部操作で開閉するパックドアー１２と、容器２内の熱湯を飲料パック８内に吐出するインジェクタ１３を有すると共に飲料パック８の注入部６を開封する注入部開封装置１４と、容器２の底面に配された出湯口１５と、注入部開封装置１４のインジェクタ１３と出湯口１５を連通する抽出経路１６と、抽出経路１６の途中に配され容器２内の熱湯に圧力をかけて飲料パック８に熱湯を送る熱湯圧送装置１７と、熱湯圧送装置１７とインジェクタ１３の間の抽出経路１６の途中から分岐した空気経路１８と、空気経路１８の一端に空気圧送装置１９と、パックドアー１２の開閉動作を、飲料パック８を開封する注入部開封装置１４に連動する開封連動装置２０と、本体１の上面の前部に配された表示操作部２１と、容器２底の加熱装置３の中央部に配された温度センサー２２と、飲料パック有無検知装置（図示せず）と、ドアー閉検知装置（図示せず）と、表示操作部２１、飲料パック有無検知装置、ドアー閉検知装置、温度センサー２２等からの信号により、加熱装置３、空気圧送装置１９、熱湯圧送装置１７の電気的制御を行う制御装置２３と、抽出飲料を受けるコップ２４を置くカップスタンド２５と、本体１から着脱可能で、こぼれた飲料を受けるトレイ２６とを備えている。
【００１５】
８は、樹脂成形で構成された注入部６と樹脂フィルム（図示せず）を貼り合わせた構成で開封後も内部の飲料粉末が出ないようメッシュ構造とした抽出部７を有する飲料パックである。
【００１６】
パックドアー１２の回転軸１１部周辺には第一のリンク腕２７を一体形成している。
【００１７】
注入部開封装置１４は、インジェクタ１３を一体成形した第一のリンク２８と、カム２９と第二のリンク腕３０を一体形成したカム機構３１が回動自在に本体１に軸支され、第一のリンク２８とカム２９との接触部の第一のリンク２８上端にローラー３２を回動自在に装着し、第一のリンク２８は、上方にばね（図示せず）により付勢された状態で上下方向にスライドするように本体１に支持され、第一のリンク腕２７先端の回転軸２７ａとカム機構３１の第二のリンク腕３０の先端の回転軸３０ａとを、開封連動装置２０の第二のリンク３３で連動した構成としている。
【００１８】
制御装置２３には、飲料パック８の抽出部７開封後に、空気圧送装置１９を所定時間駆動し、飲料パック８内の香り成分を、飲料パック８の外部に拡散する拡散工程をプログラムしている。
【００１９】
以上のように構成された本実施の形態における飲料抽出機について、以下にその動作、作用を説明する。
【００２０】
容器２内に飲料水をいれ加熱装置３により湯沸しし、温度センサー２２で検知した温度により、制御装置２３により所定の温度に保温する。パックドアー１２を、外部操作により開き、飲料パック８を、パック収納部１０の所定位置にセット固定する。
【００２１】
パックドアー１２を閉じると、その動作が、パックドアー１２に形成された第一のリンク腕２７から、開封連動装置２０の第二のリンク３３を介し、カム機構３１の第二のリンク腕３０からカム２９を介し、第一のリンク２８の先端のローラー３２から第一のリンク２８に伝達され、インジェクタ１３が下方に移動し、インジェクタ１３の先端部が飲料パック８の注入部６を突き刺し開封する。
【００２２】
その後、熱湯圧送装置１７による熱湯や空気圧送装置１９による圧送空気などにより、飲料パック８の抽出部７の貼合せ部（図示せず）を開封した後、あらかじめプログラムされた拡散工程が働き、空気圧送装置１９を所定時間駆動し、飲料パック８内の香り成分を飲料パック８外に拡散する（図２（ｃ））。
【００２３】
その後さらに、内部のコーヒーや紅茶などの飲料を熱湯で抽出し、最後に空気圧送装置１９を駆動し、飲料パック８内の残りの飲料を空気圧でコップ２４に排出し飲料パック８が火傷の心配なく、取り出せる構成としている。
【００２４】
本実施の形態における飲料抽出機は、以上のように構成されているので、飲料パック８の抽出部７を開封した後、プログラムされた拡散工程により空気圧送装置１９を所定時間駆動し、飲料パック８内の飲料粉末の香り成分を飲料パック８外に拡散させるため、飲料粉末の香りを積極的に楽しむことができる飲料抽出機を提供することができるものである。
【００２５】
尚、飲料パック８の抽出部７の開封時に、熱湯圧送装置１７による熱湯を少しづつ間欠的に送り込んで、熱湯の温度と圧力により抽出部７の貼合せ部を開封するようにしても良い。このようにすることで、上記実施の形態１の効果に加え、熱湯圧送装置１７による熱湯の温度と圧力により抽出部７の貼合せ部を開封するため、静かに抽出部７を開封することができるようになり、使用勝手の良い飲料抽出機を提供することができるものである。
【００２６】
また、飲料パック８の抽出部７の開封時に、空気圧送装置１９による圧送空気の圧力で、抽出部７の貼合せ部を開封するようにすれば、飲料パック８内の飲料粉末を熱湯に触れさせることがなくなるので、熱湯への香り成分の溶け込みによる香り成分の減少がなく、拡散工程での飲料粉末の香りを、上記第１の実施の形態より多く飲料パック外に拡散させることができ、香りをより楽しむことができる飲料抽出機を提供することができるものである。
【００２７】
（実施の形態２）
図３は、本発明の第２の実施の形態における飲料抽出機の上面の部分平面図である。尚、上記第１の実施の形態における飲料抽出機と同一部分については同一符号を付してその説明を省略する。
【００２８】
本実施の形態は、図３に示すように、本体１の上面の前部に配した表示操作部２１に、拡散工程実施の有無を任意に選択することができる選択スイッチ３４と、拡散工程実施を選択した時に点灯する拡散工程表示ランプ３５を有する選択装置３６と、拡散工程の空気圧送装置１９の駆動時間を外部操作により調整するための調整つまみ３７を有する拡散時間調整装置３８を設けたもので、他の構成は、上記第１の実施の形態における飲料抽出機と同じである。
【００２９】
上記構成により、本実施の形態における飲料抽出機は、上記第１の実施の形態における効果に加え、使用者は、選択スイッチ３４を用いて、拡散工程を手軽に任意に選択できるので、使用勝手の良い飲料抽出機を提供することができるものである。
【００３０】
また、拡散工程の選択時に、拡散時間調整装置３８の調整つまみ３７を操作して、空気圧送装置１９の駆動時間を、手軽にしかも簡単に調整できるため、香りを楽しむ時間を使用者が自由に設定できる飲料抽出機を提供することができるものである。
【産業上の利用可能性】
【００３１】
以上のように本発明に係る飲料抽出機は、飲料粉末が有する香り成分を十分楽しむことができるもので、家庭用、業務用の各種飲料抽出機に適用できる。
【図面の簡単な説明】
【００３２】
【図１】本発明の第１の実施の形態における飲料抽出機の概略構成を示す図
【図２】（ａ）、（ｂ）同飲料抽出機のパックドアー開時の部分図（ｃ）同飲料抽出機のパックドアー閉後の拡散工程動作時の部分図
【図３】本発明の第２の実施の形態における飲料抽出機の上面の部分平面図
【符号の説明】
【００３３】
２  容器
３  加熱装置
６  注入部
７  抽出部
８  飲料パック
１４  注入部開封装置
１５  出湯口
１６  抽出経路
１７  熱湯圧送装置
１８  空気経路
１９  空気圧送装置
３６  選択装置
３８  拡散時間調整装置
【図１】
2008289527.tif 000003
【図２】
2008289527.tif 000004
【図３】
2008289527.tif 000005